【手続補正書】
【提出日】平成18年11月9日(2006.11.9)
【手続補正１】
【補正対象書類名】明細書
【補正対象項目名】特許請求の範囲
【補正方法】変更
【補正の内容】
【特許請求の範囲】
【請求項１】
波長分割多重システムにおける補助データ伝送装置であり、
サブキャリア周波数信号を補助データによって変調処理を行なう変調器と、
光データ信号を変調サブキャリア周波数信号によって振幅強度変調処理を行なう強度変調器と、
振幅強度変調光信号の部分タッピングを行なうタップカップラと、
光信号のタップ部分を電気信号に変換する光電変換器と、
前記電気信号から変調サブキャリア周波数信号を検出し、変調サブキャリア周波数信号から補助データを検出する検出器と、
を有することを特徴とする波長分割多重システムにおける補助データ伝送装置。
【請求項２】
前記変調器は、光データ信号のビットレートより少なくとも８桁低いビットレートにおいて、サブキャリア周波数信号を補助データによって変調処理を行なう構成であることを特徴とする請求項１に記載の波長分割多重システムにおける補助データ伝送装置。
【請求項３】
前記サブキャリア周波数信号の周波数は、光データ信号のビットレートの２分の１より小であることを特徴とする請求項２に記載の波長分割多重システムにおける補助データ伝送装置。
【請求項４】
前記補助データは、チャネルソース識別情報を含むことを特徴とする請求項３に記載の波長分割多重システムにおける補助データ伝送装置。
【請求項５】
前記変調器は、振幅変調器であることを特徴とする請求項４に記載の波長分割多重システムにおける補助データ伝送装置。
【請求項６】
前記補助データは、チャネルソースのインターネット・プロトコル・アドレスを含むことを特徴とする請求項１乃至５いずれかに記載の波長分割多重システムにおける補助データ伝送装置。
【請求項７】
前記補助データは、チャネルソースの物理的位置識別子を含むことを特徴とする請求項１乃至５いずれかに記載の波長分割多重システムにおける補助データ伝送装置。
【請求項８】
前記補助データは、動作または保護チャネルソース識別子を含むことを特徴とする請求項１乃至５いずれかに記載の波長分割多重システムにおける補助データ伝送装置。
【請求項９】
前記補助データは、ペイロード・フォーマット識別子を含むことを特徴とする請求項１乃至５いずれかに記載の波長分割多重システムにおける補助データ伝送装置。
【請求項１０】
前記補助データは、ペイロード・ビットレート識別子を含むことを特徴とする請求項１乃至５いずれかに記載の波長分割多重システムにおける補助データ伝送装置。
【請求項１１】
波長分割多重システムにおける補助データのためのエンコーダであり、
サブキャリア周波数信号を補助データによって変調処理を行なう変調器と、
光データ信号を変調サブキャリア周波数信号によって振幅強度変調処理を行なう強度変調器と、
を有することを特徴とする波長分割多重システムにおけるエンコーダ。
【請求項１２】
前記変調器は、光データ信号のビットレートより少なくとも８桁低いビットレートにおいて、サブキャリア周波数信号を補助データによって変調処理を行なう構成であることを特徴とする請求項１１に記載の波長分割多重システムにおけるエンコーダ。
【請求項１３】
前記変調サブキャリア周波数信号のビットレートは、光データ信号のビットレートの２分の１より小であることを特徴とする請求項１２に記載の波長分割多重システムにおけるエンコーダ。
【請求項１４】
前記補助データは、チャネルソース識別情報を含むことを特徴とする請求項１３に記載の波長分割多重システムにおけるエンコーダ。
【請求項１５】
前記変調器は、振幅変調器であることを特徴とする請求項１４に記載の波長分割多重システムにおけるエンコーダ。
【請求項１６】
前記補助データは、チャネル波長ソースのインターネット・プロトコル・アドレスを含むことを特徴とする請求項１１乃至１５いずれかに記載の波長分割多重システムにおけるエンコーダ。
【請求項１７】
前記補助データは、チャネルソースの物理的位置識別子を含むことを特徴とする請求項１１乃至１５いずれかに記載の波長分割多重システムにおけるエンコーダ。
【請求項１８】
前記補助データは、動作または保護チャネルソース識別子を含むことを特徴とする請求項１１乃至１５いずれかに記載の波長分割多重システムにおけるエンコーダ。
【請求項１９】
前記補助データは、ペイロード・フォーマット識別子を含むことを特徴とする請求項１１乃至１５いずれかに記載の波長分割多重システムにおけるエンコーダ。
【請求項２０】
前記補助データは、ペイロード・ビットレート識別子を含むことを特徴とする請求項１１乃至１５いずれかに記載の波長分割多重システムにおけるエンコーダ。
【請求項２１】
補助データによって変調された変調サブキャリア周波数信号によって振幅強度変調された光データ信号から補助データを検出する波長分割多重システムにおけるデコーダであり、
変調光データ信号の部分タッピングを行なうタップカップラと、
タップ部分の電気信号への変換処理を実行する光電変換器と、
前記電気信号から変調サブキャリア周波数信号を検出し、該変調サブキャリア周波数信号から補助データを検出する検出器と、
を有することを特徴とする波長分割多重システムにおけるデコーダ。
【請求項２２】
前記デコーダは、光データ信号のビットレートより少なくとも８桁低いビットレートにおいて供給される補助データを抽出する構成であることを特徴とする請求項２１に記載の波長分割多重システムにおけるデコーダ。
【請求項２３】
前記変調サブキャリア周波数信号のビットレートは、光データ信号のビットレートの２分の１より小であることを特徴とする請求項２２に記載の波長分割多重システムにおけるデコーダ。
【請求項２４】
前記補助データは、チャネルソース識別情報を含むことを特徴とする請求項２３に記載の波長分割多重システムにおけるデコーダ。
【請求項２５】
前記検出器は、振幅変調サブキャリア周波数信号から補助データを検出する構成であることを特徴とする請求項２４に記載の波長分割多重システムにおけるデコーダ。
【請求項２６】
前記補助データは、チャネルソースのインターネット・プロトコル・アドレスを含むことを特徴とする請求項２１乃至２５いずれかに記載の波長分割多重システムにおけるデコーダ。
【請求項２７】
前記補助データは、チャネルソースの物理的位置識別子を含むことを特徴とする請求項２１乃至２５いずれかに記載の波長分割多重システムにおけるデコーダ。
【請求項２８】
前記補助データは、動作または保護チャネルソース識別子を含むことを特徴とする請求項２１乃至２５いずれかに記載の波長分割多重システムにおけるデコーダ。
【請求項２９】
前記補助データは、ペイロード・フォーマット識別子を含むことを特徴とする請求項２１乃至２５いずれかに記載の波長分割多重システムにおけるデコーダ。
【請求項３０】
前記補助データは、ペイロード・ビットレート識別子を含むことを特徴とする請求項２１乃至２５いずれかに記載の波長分割多重システムにおけるデコーダ。
【請求項３１】
波長分割多重システムにおいて補助データを伝送する方法であり、
ａ）システムの第１ノードにおける、補助データによるサブキャリア周波数信号の変調処理ステップ、
ｂ）第１ノードにおける、光データ信号の変調サブキャリア周波数信号による振幅強度変調処理ステップ、
ｃ）第１ノードにおける、光ファイバ上への変調光データ信号の出力処理ステップ、
ｄ）システムの第２ノードにおける、光ファイバからの変調光データ信号の部分タッピング処理ステップ、
ｅ）第２ノードにおける、タップ部分の電気信号への変換処理ステップ、
ｆ）第２ノードにおける、電気信号からの変調サブキャリア周波数信号の検出処理ステップ、
ｇ）第２ノードにおける、変調サブキャリア周波数信号からの補助データの検出処理ステップ、
とを含むことを特徴とする波長分割多重システムにおける補助データ伝送方法。
【請求項３２】
前記ステップａ）の補助データによるサブキャリア周波数信号の変調処理ステップは、光データ信号のビットレートより少なくとも８桁低いビットレートにおいて実行されることを特徴とする請求項３１に記載の波長分割多重システムにおける補助データ伝送方法。
【請求項３３】
前記ステップａ）のサブキャリア周波数信号の変調処理ステップは、光データ信号のビットレートの２分の１より小である周波数を持つ電気信号において実行されることを特徴とする請求項３２に記載の波長分割多重システムにおける補助データ伝送方法。